(57)【要約】  ロボットサインが記載され、該ロボットサインは、サインポスト；サインポストに可動的に取り付けられたアームであって、該アームが、サインポストのまわりで独立して及び隣接して回転することができるように構成された測位装置を有し、ディスプレイ項目を提示するように構成された電子ディスプレイを含む少なくとも１つの面を有している、アーム；およびリモート管理アプリケーションからディスプレイ項目情報を受信するように構成された通信要素であって、該ディスプレイ項目情報が、方向および記述を含む、通信要素；を含み、ここで、ディスプレイ項目の提示後、アームは、方向を示すために回転し、記述を表示する。また、ロボットサインを構成するためのソフトウェアアプリケーション、ロボットサインのネットワーク、およびロボットサインを利用する広告システムが記載される。【選択図】図１
2016527537.tif 000002
【特許請求の範囲】
【請求項１】
ロボットサインであって、該ロボットサインが、
ａ．  サインポスト；
ｂ．  サインポストに可動的に取り付けられたアームであって、該アームが、サインポストのまわりで独立して及び隣接して回転することができるように構成された測位装置を有し、ディスプレイ項目を提示するように構成された電子ディスプレイを含む少なくとも１つの面を有している、アーム；および
ｃ．  リモート管理アプリケーションからディスプレイ項目情報を受信するように構成された通信要素であって、該ディスプレイ項目情報が、方向および記述を含む、通信要素、
を含み；
ここで、ディスプレイ項目の提示後、アームは、方向を示すために回転し、記述を表示する、
ロボットサイン。
【請求項２】
サインポストが、水平表面に取り付けるための垂直ポストであることを特徴とする、請求項１に記載のロボットサイン。
【請求項３】
サインポストが、垂直表面に取り付けるための水平ポストであることを特徴とする、請求項１に記載のロボットサイン。
【請求項４】
ディスプレイが、カラーディスプレイであることを特徴とする、請求項１に記載のロボットサイン。
【請求項５】
ディスプレイが、 発光ダイオードのマトリックス、発光ダイオードのバックライト付き薄膜トランジスターディスプレイ、液晶ディスプレイ、有機発光ダイオードディスプレイ、アクティブマトリックスの有機発光ダイオードディスプレイ、およびそれらの組み合わせから選択されることを特徴とする、請求項１に記載のロボットサイン。
【請求項６】
１−１０のアームを含むことを特徴とする、請求項１に記載のロボットサイン。
【請求項７】
３つのアームを含むことを特徴とする、請求項６に記載のロボットサイン。
【請求項８】
アームが、サインポストに可逆的に取り付けられることを特徴とする、請求項１に記載のロボットサイン。
【請求項９】
アームが、アームの回転を停止するように構成されたブレーキ装置を有することを特徴とする、請求項１に記載のロボットサイン。
【請求項１０】
測位装置が、ステッパーモーター、ブラシ付き又はブラシなしのＡＣまたはＤＣモーター、あるいはＡＣ誘導モーターを含むことを特徴とする、請求項１に記載のロボットサイン。
【請求項１１】
ディスプレイ項目情報が、 距離、位置、グラフィックアイコン、およびアニメーションの１つ以上をさらに含むことを特徴とする、請求項１に記載のロボットサイン。
【請求項１２】
記述が、場所、名称、位置、日付、時間、待ち時間、輸送情報、および公共施設情報の１つ以上を含むことを特徴とする、請求項１に記載のロボットサイン。
【請求項１３】
記述が、 価格、割引、クーポンコード、申込、および広告の１つ以上を含むことを特徴とする、請求項１に記載のロボットサイン。
【請求項１４】
記述が、ニュースヘッドライン、株式相場、スポーツスコア、気象通報、レビュー、格付け、ソーシャルメディアポスト、マイクロブログポスト、ソーシャル写真共有サービスに投稿された媒体、およびソーシャルビデオ共有サービスに投稿された媒体の１つ以上を含むことを特徴とする、請求項１に記載のロボットサイン。
【請求項１５】
方向が、１つ以上の回動運動を含むことを特徴とする、請求項１に記載のロボットサイン。
【請求項１６】
ディスプレイ項目の選択を可能にするように構成された消費者ユーザーインターフェースパネルをさらに含むことを特徴とする、請求項１に記載のロボットサイン。
【請求項１７】
環境センサーをさらに含むことを特徴とする、請求項１に記載のロボットサイン。
【請求項１８】
環境センサーが、 カメラ、温度センサー、湿度センサー、風速センサー、風向センサー、周囲光センサー、およびそれらの組み合わせから選択されることを特徴とする、請求項１７に記載のロボットサイン。
【請求項１９】
通信要素が、無線通信要素であることを特徴とする、請求項１に記載のロボットサイン。
【請求項２０】
通信要素が、消費者モバイルアプリケーションからディスプレイ項目情報を受信するようにさらに構成されることを特徴とする、請求項１に記載のロボットサイン。
【請求項２１】
取得画像に基づいてサインの近くの消費者を一意に特定するための画像化要素をさらに含むことを特徴とする、請求項１に記載のロボットサイン。
【請求項２２】
消費者に関係するデバイスからの固有の無線信号に基づいて、サインの近くの消費者を一意に特定するための無線通信要素をさらに含むことを特徴とする、請求項１に記載のロボットサイン。
【請求項２３】
ディスプレイが、サインの近くの消費者の特定に応じて変化させられることを特徴とする、請求項２２に記載のロボットサイン。
【請求項２４】
複数のロボットサインを含むロボットサインのネットワークであって、各ロボットサインが、
ａ．  サインポスト；
ｂ．  サインポストに可動的に取り付けられたアームであって、該アームが、サインポストのまわりで独立して及び隣接して回転することができるように構成された測位装置を有し、ディスプレイ項目を提示するように構成された電子ディスプレイを含む少なくとも１つの面を有している、アーム；および
ｃ．  リモート管理アプリケーションからディスプレイ項目情報を受信するように構成された無線通信要素であって、該ディスプレイ項目情報が、方向および記述を含む、無線通信要素、
を含み；
ここで、ディスプレイ項目の提示後に、アームは、ネットワークにおける別のロボットサインの方向または位置を示すために回転し、記述を表示する、
ロボットサインのネットワーク。
【請求項２５】
コンピューター実施システムであって、該コンピューター実施システムが、
ａ．  実行可能命令を行うように構成されたオペレーティングシステムおよびメモリを含む、デジタル処理デバイス；
ｂ．  管理アプリケーションを作り出すためにデジタル処理デバイスによって実行可能な命令を含む、コンピュータープログラム、を含み、該管理アプリケーションが、
ｉ．  管理ユーザーが、１つ以上のロボットサインのためのディスプレイ項目を構成することを可能にするインターフェースを提示するように構成されたソフトウェアモジュールであって、各ディスプレイ項目が位置および記述を含む、ソフトウェアモジュール、を含み；ここで、各ディスプレイ項目は、ロボットサインの回転するアーム上のディスプレイに提示され、各アームは、位置の方向を示すために回転する且つ記述を表示し；該管理アプリケーションはさらに、
ｉｉ．  管理ユーザーが、ディスプレイ項目のカレンダーベースのスケジュールを閲覧することを可能にする、インターフェースを提示するように構成されたソフトウェアモジュール；および
ｉｉｉ．  １つ以上のロボットサインによってディスプレイ項目の提示に係る分析データを提示するように構成されたソフトウェアモジュール、を含む、
コンピューター実施システム。
【請求項２６】
ディスプレイ項目が、 距離、グラフィックアイコン、およびアニメーション、場所、名称、位置、日付、時間、待ち時間、輸送情報、公共施設情報、価格、割引、クーポンコード、申込、広告、ニュースヘッドライン、株式相場、スポーツスコア、気象通報、レビュー、格付け、ソーシャルメディアポスト、マイクロブログポスト、 ソーシャル写真共有サービスに投稿された媒体、およびソーシャルビデオ共有サービスに投稿された媒体の１つ以上をさらに含むことを特徴とする、請求項２５に記載のコンピューター実施システム。
【請求項２７】
管理ユーザーがディスプレイ項目を構成することを可能にするインターフェースを提示するように構成されたソフトウェアモジュールは、ロボットサイン上に提示されたディスプレイ項目のプレビューを提供することを特徴とする、請求項２５に記載のコンピューター実施システム。
【請求項２８】
広告システムであって、該広告システムが、
ａ．  ロボットサインを含み、該ロボットサインが、サインポスト；サインポストに可動的に取り付けられたアームであって、該アームが、サインポストのまわりで独立して及び隣接して回転することができるように構成された測位装置を有し、ディスプレイ項目を提示するように構成された電子ディスプレイを含む少なくとも１つの面を有している、アーム；および無線通信要素であって、 サインの近くの消費者に関係するデバイスから固有の無線信号を検知する、 およびリモート管理アプリケーションからディスプレイ項目情報を受信するように構成された、無線通信要素を含み、該ディスプレイ項目情報は、位置および広告を含み、ここで、ディスプレイ項目の提示後に、アームは、位置の方向を示すために回転する且つ広告を表示し；該広告システムはさらに；
ｂ．  管理アプリケーションを作り出すためにデジタル処理デバイスによって実行可能な命令を提供されたデジタル処理デバイスを含み、該管理アプリケーションは、管理ユーザーがロボットサインのためのディスプレイ項目を遠隔で構成することを可能にするインターフェースを提示するように構成されたソフトウェアモジュール；およびロボットサインによるディスプレイ項目の提示に係る分析データおよび消費者変換データを提示するように構成されたソフトウェアモジュール、を含み；および該広告システムはさらに；
ｃ．  その位置の広告の対象の近くに位置付けられた変換トラッキングデバイスを含み、該変換トラッキングデバイスは、固有の無線信号を検知し、消費者変換情報を管理アプリケーションに報告するように構成されている、
広告システム。
【請求項２９】
複数のロボットサインおよび複数の変換トラッキングデバイスを含むことを特徴とする、請求項２８に記載の広告システム。
【請求項３０】
システムであって、該システムが、
ａ．  ロボットサインを含み、該ロボットサインが、サインポスト；サインポストに可動的に取り付けられたアームであって、該アームが、サインポストのまわりで独立して及び隣接して回転することができるように構成された測位装置を有し、ディスプレイ項目を提示するように構成された電子ディスプレイを含む少なくとも１つの面を有している、アーム；および無線通信要素であって、 サインの近くの消費者に関係するデバイスから固有の無線信号を検知する、 およびリモート管理アプリケーションからディスプレイ項目情報を受信するように構成された、無線通信要素を含み、該ディスプレイ項目情報は、位置および記述を含み；ここで、ディスプレイ項目の提示後に、アームは、位置の方向を示すために回転する且つ記述を表示し；該システムはさらに；
ｂ．  管理アプリケーションを作り出すためにデジタル処理デバイスによって実行可能な命令を提供されたデジタル処理デバイスを含み、該管理アプリケーションは、管理ユーザーがロボットサインのためのディスプレイ項目を遠隔で構成することを可能にするインターフェースを提示するように構成されたソフトウェアモジュール；およびロボットサインによるディスプレイ項目の提示に係る分析データおよび消費者トラッキングデータを提示するように構成されたソフトウェアモジュール、を含み；および該広告システムはさらに；
ｃ．  その位置の広告の対象の近くに位置付けられたトラッキングデバイスを含み、該トラッキングデバイスは、消費者を一意に特定する且つ消費者トラッキング情報を管理アプリケーションに報告するように構成されている、
システム。
【請求項３１】
複数のロボットサインおよび複数のトラッキングデバイスを含むことを特徴とする、請求項３０に記載のシステム。
【発明の詳細な説明】
【技術分野】
【０００１】
関連出願への相互参照
本出願は、２０１３年６月３日に出願の、米国特許出願第６１／８３０，６０９号の利益を主張し、その全体が引用によって本明細書に組み込まれる。
【背景技術】
【０００２】
方向サインは、主として見る人または考えられ得る目的地のいずれかに位置に関する情報を与えるために使用されるものを含み、有益なサイン群のサブセットと考えられる。
【発明の概要】
【０００３】
本開示の発明は、スマートサインおよび関係するシステムおよび方法を含む。一実施形態では、スマートサインは、少なくとも１つのサインポストを含むインターネット接続したロボットによるサインプラットホームを含む。サインポストに連結されるのは少なくとも１つだが、複数のサインアームがサインポストのまわりを回転できることが好ましい。アームはそれぞれ、動的コンテンツのディスプレイのための少なくとも１つのディスプレイ面をさらに含む。表示された動的コンテンツは、サインアームが指示している方向に関連し得る。スマートサインは、ユーザーインターフェースをさらに含んでもよく、それによって、ユーザーはサインと対話することができる。スマートサインは、例えば、スマートサインをデータベースに連結することなどによって、スマートサインの構成を可能にするバックエンドサブシステムに連結されてもよい。
【０００４】
別の実施形態では、本発明は、地理的に関連した情報をユーザーに提供するための方法であり、該方法は、情報を動的に表示し、例えば、位置を指示することなどによって、表示された情報に関連する方向キュー（ｄｉｒｅｃｔｉｏｎａｌ ｃｕｅｓ）を示すことができるスマートサインを提供する工程；スマートサインにイベントデータを提供する工程であって、該イベントデータが、各イベントデータに関係する位置データを含む、工程；
およびサインがイベントデータを表示し、イベントデータの位置を指し示すことなどによって、その位置を示すことを可能にする工程、を含む。システムは、ユーザー生成された質問を受ける工程および質問に応答するデータを表示する工程をさらに含む。
【０００５】
一態様では、本明細書には、ロボットサイン（ｒｏｂｏｔｉｃ ｓｉｇｎｓ）が開示され、該ロボットサインは、サインポスト；サインポストに可動的に取り付けられたアームであって、該アームが、サインポストのまわりで独立して及び隣接して回転することができるように構成された測位装置を有し、ディスプレイ項目を提示するように構成された電子ディスプレイを含む少なくとも１つの面を有している、アーム；およびリモート管理アプリケーションからディスプレイ項目情報を受信するように構成された通信要素であって、該ディスプレイ項目情報が、方向および記述を含む、通信要素、を含み；ここで、ディスプレイ項目の提示後、アームは、方向を示すために回転し、記述を表示する。幾つかの実施形態では、サインポストは、水平表面に取り付けるための垂直ポストである。他の実施形態では、サインポストは、垂直表面に取り付けるための水平ポストである。幾つかの実施形態では、ディスプレイは、カラーディスプレイである。さらなる実施形態では、ディスプレイは、発光ダイオードのマトリックス、発光ダイオードのバックライト付き薄膜トランジスターディスプレイ、液晶ディスプレイ、有機発光ダイオードディスプレイ、アクティブマトリックスの有機発光ダイオードディスプレイ、およびそれらの組み合わせから選択される。幾つかの実施形態では、サインは、約１乃至約１０のアームを含む。様々な実施形態では、サインは、１、２、３、４、５、６、７、８、９、１０、またはそれ以上のアームを含む。特定の実施形態では、サインは３つのアームを含む。幾つかの実施形態では、アームは、サインポストに可逆的に取り付けられる。幾つかの実施形態では、アームは、アームの回転を停止するように構成されたブレーキ装置を有する。様々な実施形態では、測位装置は：ステッパーモーター、ＤＣモーター、またはＤＣサーボモーターを含む。特定の実施形態では、測位装置は、ステッパーモーターを含む。幾つかの実施形態では、ディスプレイ項目情報は、距離、位置、グラフィックアイコン、およびアニメーションの１つ以上をさらに含む。幾つかの実施形態では、記述は、場所、名称、位置、日付、時間、待ち時間、輸送情報、および公共施設情報の１つ以上を含む。幾つかの実施形態では、記述は、価格、割引、クーポンコード、申込、および広告の１つ以上を含む。幾つかの実施形態では、記述は、ニュースヘッドライン、株式相場、スポーツスコア、気象通報、レビュー、格付け、ソーシャルメディアポスト、マイクロブログポスト、ソーシャル写真共有サービスに投稿された媒体、およびソーシャルビデオ共有サービスに投稿された媒体の１つ以上を含む。幾つかの実施形態では、方向は、１つ以上の回動運動を含む。幾つかの実施形態では、サインは、ディスプレイ項目の選択を可能にするように構成された消費者ユーザーインターフェースパネルをさらに含む。幾つかの実施形態では、サインは、環境センサーをさらに含む。さらなる実施形態では、環境センサーは、カメラ、温度センサー、湿度センサー、風速センサー、風向センサー、周囲光センサー、およびそれらの組み合わせから選択される。幾つかの実施形態では、通信要素は、無線通信要素である。さらなる実施��態では、通信要素は、消費者モバイルアプリケーションからディスプレイ項目情報を受信するように構成されている。幾つかの実施形態では、サインは、取得画像に基づいてサインの近くの消費者を一意に特定するための画像化要素をさらに含む。幾つかの実施形態では、サインは、消費者に関係するデバイスからの固有の無線信号に基づいて、サインの近くの消費者を一意に特定するための無線通信要素をさらに含む。さらなる実施形態では、ディスプレイは、サインの近くの消費者の特定に応じて変化させられる。
【０００６】
別の態様では、本明細書には、複数のロボットサインを含むロボットサインのネットワークが開示され、ここで各サインは、サインポスト；サインポストに可動的に取り付けられたアームであって、該アームが、サインポストのまわりで独立して及び隣接して回転することができるように構成された測位装置を有し、ディスプレイ項目を提示するように構成された電子ディスプレイを含む少なくとも１つの面を有している、アーム；およびリモート管理アプリケーションからディスプレイ項目情報を受信するように構成された通信要素であって、該ディスプレイ項目情報が、方向および記述を含む、通信要素、を含み；ここで、ディスプレイ項目の提示後に、アームは、ネットワークにおける別のロボットサインの方向または位置を示すために回転し、記述を表示する。様々な実施形態では、ロボットサインのネットワークは、約５、１０、２０、３０、４０、５０、６０、７０、８０、９０、１００、２００、３００、４００、５００、６００、７００、８００、９００、１０００、またはそれ以上のロボットサインを含む。
【０００７】
別の態様では、本明細書には、コンピューター実施システムが開示され、該コンピューター実施システムは、実行可能命令を行うように構成されたオペレーティングシステムおよびメモリを含む、デジタル処理デバイス；管理アプリケーションを作り出すためにデジタル処理デバイスによって実行可能な命令を含む、コンピュータープログラムを含み、管理アプリケーションは、管理ユーザーが、１つ以上のロボットサインのためのディスプレイ項目を構成することを可能にするインターフェースを提示するように構成されたソフトウェアモジュールであって、各ディスプレイ項目が位置および記述を含む、ソフトウェアモジュールを含み；ここで、各ディスプレイ項目は、ロボットサインの回転するアーム上のディスプレイに提示され、各アームは、位置の方向を示すために回転する且つ記述を表示し；および管理アプリケーションはさらに、１つ以上のロボットサインによってディスプレイ項目の提示に係る分析データを提示するように構成されたソフトウェアモジュールを含む。幾つかの実施形態では、ディスプレイ項目は、距離、グラフィックアイコン、およびアニメーション、場所、名称、位置、日付、時間、待ち時間、輸送情報、公共施設情報、価格、割引、クーポンコード、申込、広告、ニュースヘッドライン、株式相場、スポーツスコア、気象通報、レビュー、格付け、ソーシャルメディアポスト、マイクロブログポスト、ソーシャル写真共有サービスに投稿された媒体、およびソーシャルビデオ共有サービスに投稿された媒体の１つ以上をさらに含む。幾つかの実施形態では、アプリケーションは、管理ユーザーがディスプレイ項目のカレンダーベースのスケジュールを閲覧することを可能にする、インターフェースを提示するように構成されたソフトウェアモジュールをさらに含む。幾つかの実施形態では、管理ユーザーがディスプレイ項目を構成することを可能にするインターフェースを提示するように構成されたソフトウェアモジュールは、ロボットサイン上に提示されたディスプレイ項目のプレビューを提供する。
【０００８】
別の態様では、本明細書には、ている、広告システムが開示され、該広告システムは、ロボットサインを含み、該ロボットサインは、サインポスト；サインポストに可動的に取り付けられたアームであって、該アームが、サインポストのまわりで独立して及び隣接して回転することができるように構成された測位装置を有し、ディスプレイ項目を提示するように構成された電子ディスプレイを含む少なくとも１つの面を有している、アーム；および無線通信要素であって、サインの近くの消費者に関係するデバイスから固有の無線信号を検知する、およびリモート管理アプリケーションからディスプレイ項目情報を受信するように構成された、無線通信要素を含み、該ディスプレイ項目情報は、位置および広告を含み、ここで、ディスプレイ項目の提示後に、アームは、位置の方向を示すために回転する且つ広告を表示し、該広告システムはさらに、管理アプリケーションを作り出すためにデジタル処理デバイスによって実行可能な命令を提供されたデジタル処理デバイスを含み、管理アプリケーションは、管理ユーザーがロボットサインのためのディスプレイ項目を遠隔で構成することを可能にするインターフェースを提示するように構成されたソフトウェアモジュール；およびロボットサインによるディスプレイ項目の提示に係る分析データおよび消費者変換データを提示するように構成されたソフトウェアモジュールを含み、および該広告システムはさらに、その位置の広告の対象の近くに位置付けられた変換トラッキングデバイスを含み、該変換トラッキングデバイスは、固有の無線信号を検知し、消費者変換情報を管理アプリケーションに報告するように構成されている。幾つかの実施形態では、該システムは、複数のロボットサインおよび複数の変換トラッキングデバイスを含む。
【０００９】
別の態様では、本明細書には、システムが開示され、該システムは：ロボットサインを含み、該ロボットサインは、サインポスト；サインポストに可動的に取り付けられたアームであって、該アームが、サインポストのまわりで独立して及び隣接して回転することができるように構成された測位装置を有し、ディスプレイ項目を提示するように構成された電子ディスプレイを含む少なくとも１つの面を有している、アーム；および無線通信要素であって、サインの近くの消費者に関係するデバイスから固有の無線信号を検知する、およびリモート管理アプリケーションからディスプレイ項目情報を受信するように構成された、無線通信要素を含み、該ディスプレイ項目情報は、位置および記述を含み；ここで、ディスプレイ項目の提示後に、アームは、位置の方向を示すために回転する且つ記述を表示し；該システムはさらに、管理アプリケーションを作り出すためにデジタル処理デバイスによって実行可能な命令を提供されたデジタル処理デバイスを含み、管理アプリケーションは、管理ユーザーがロボットサインのためのディスプレイ項目を遠隔で構成することを可能にするインターフェースを提示するように構成されたソフトウェアモジュール；およびロボットサインによるディスプレイ項目の提示に係る分析データおよび消費者トラッキングデータを提示するように構成されたソフトウェアモジュールを含み、および該システムはさらに、その位置の広告の対象の近くに位置付けられたトラッキングデバイスを含み、該トラッキングデバイスは、消費者を一意に特定する且つ消費者トラッキング情報を管理アプリケーションに報告するように構成されている。幾つかの実施形態では、該システムは、複数のロボットサインおよび複数のトラッキングデバイスを含む。
【図面の簡単な説明】
【００１０】
【図１】本明細書に記載されるロボットサインの限定しない例を示す。
【図２】ロボットサインの構造ダイアグラムの限定しない例を示す。
【図３】サインアームの分解した構造ダイアグラムの限定しない例を示す。
【図４】ユーザーインターフェースパネルの分解した構造ダイアグラムの限定しない例を示す。
【図５】本明細書に記載されるユーザーインターフェースパネル用のグラフィックユーザーインターフェースの限定しない例を示す。
【図６】本明細書に記載されるロボットサインベースの構造ダイアグラムの限定しない例を示す。
【図７】図７は、本明細書に記載される管理ユーザーアプリケーション、この場合、管理ユーザーが１つ以上のロボットサインのためのディスプレイ項目を構成することが可能であるインターフェースを含むアプリケーション、の限定しない例を示す。
【図８】本明細書に記載される管理ユーザーアプリケーション、この場合、管理ユーザーがディスプレイ項目のカレンダーベースのスケジュールを閲覧することを可能にするインターフェース、および１つ以上のロボットサインによるディスプレイ項目の提示に係る分析データを提示するインターフェースを含むアプリケーション、の限定しない例を示す。
【図９】広告プラットホームへと統合された本明細書に記載されるロボットサインの限定しない例を示す。
【図１０】本明細書に記載される公共のモバイルアプリケーション用のグラフィックユーザーインターフェースの限定しない例を示す。
【図１１】本明細書に記載されるロボットサインシステムのためのシステムダイアグラムの限定しない例を示す。
【図１２】プロセスフロー、この場合、ユーザーがインターフェースパネルを操作するプロセス、の限定しない例を示す。
【発明を実施するための形態】
【００１１】
本明細書には、特定の実施形態において、ロボットサインが記載され、該ロボットサインは、サインポスト；サインポストに可動的に取り付けられたアームであって、該アームが、サインポストのまわりで独立して及び隣接して回転することができるように構成された測位装置を有し、ディスプレイ項目を提示するように構成された電子ディスプレイを含む少なくとも１つの面を有している、アーム；およびリモート管理アプリケーションからディスプレイ項目情報を受信するように構成された通信要素であって、該ディスプレイ項目情報が、方向および記述を含む、通信要素、を含み；ここで、ディスプレイ項目の提示後、アームは、方向を示すために回転し、記述を表示する。
【００１２】
本明細書にはまた、特定の実施形態において、複数のロボットサインを含むロボットサインのネットワークが記載され、各ロボットサインは、サインポスト；サインポストに可動的に取り付けられたアームであって、該アームが、サインポストのまわりで独立して及び隣接して回転することができるように構成された測位装置を有し、ディスプレイ項目を提示するように構成された電子ディスプレイを含む少なくとも１つの面を有している、アーム；およびリモート管理アプリケーションからディスプレイ項目情報を受信するように構成された通信要素であって、該ディスプレイ項目情報が、方向および記述を含む、通信要素、を含み；ここで、ディスプレイ項目の提示後に、アームは、ネットワークにおける別のロボットサインの方向または位置を示すために回転し、記述を表示する。
【００１３】
本明細書にはまた、特定の実施形態において、コンピューター実施システムが記載され、該コンピューター実施システムは、実行可能命令を行うように構成されたオペレーティングシステムおよびメモリを含む、デジタル処理デバイス；管理アプリケーションを作り出すためにデジタル処理デバイスによって実行可能な命令を含む、コンピュータープログラムを含み、管理アプリケーションは、管理ユーザーが、１つ以上のロボットサインのためのディスプレイ項目を構成することを可能にするインターフェースを提示するように構成されたソフトウェアモジュールであって、各ディスプレイ項目が位置および記述を含む、ソフトウェアモジュールを含み；ここで、各ディスプレイ項目は、ロボットサインの回転するアーム上のディスプレイに提示され、各アームは、位置の方向を示すために回転する且つ記述を表示し；および管理アプリケーションはさらに、１つ以上のロボットサインによってディスプレイ項目の提示に係る分析データを提示するように構成されたソフトウェアモジュールを含む。
【００１４】
本明細書にはまた、特定の実施形態において、広告システムが記載され、該広告システムは、ロボットサインを含み、該ロボットサインは、サインポスト；サインポストに可動的に取り付けられたアームであって、該アームが、サインポストのまわりで独立して及び隣接して回転することができるように構成された測位装置を有し、ディスプレイ項目を提示するように構成された電子ディスプレイを含む少なくとも１つの面を有している、アーム；および無線通信要素であって、サインの近くの消費者に関係するデバイスから固有の無線信号を検知する、およびリモート管理アプリケーションからディスプレイ項目情報を受信するように構成された、無線通信要素を含み、該ディスプレイ項目情報は、位置および広告を含み、ここで、ディスプレイ項目の提示後に、アームは、位置の方向を示すために回転する且つ広告を表示し、該広告システムはさらに、管理アプリケーションを作り出すためにデジタル処理デバイスによって実行可能な命令を提供されたデジタル処理デバイスを含み、管理アプリケーションは、管理ユーザーがロボットサインのためのディスプレイ項目を遠隔で構成することを可能にするインターフェースを提示するように構成されたソフトウェアモジュール；およびロボットサインによるディスプレイ項目の提示に係る分析データおよび消費者変換データを提示するように構成されたソフトウェアモジュールを含み、および該広告システムはさらに、その位置の広告の対象の近くに位置付けられた変換トラッキングデバイスを含み、該変換トラッキングデバイスは、固有の無線信号を検知し、消費者変換情報を管理アプリケーションに報告するように構成されている。
【００１５】
本明細書にはまた、特定の実施形態において、システムが記載され、該システムは、ロボットサインを含み、該ロボットサインは、サインポスト；サインポストに可動的に取り付けられたアームであって、該アームが、サインポストのまわりで独立して及び隣接して回転することができるように構成された測位装置を有し、ディスプレイ項目を提示するように構成された電子ディスプレイを含む少なくとも１つの面を有している、アーム；および無線通信要素であって、サインの近くの消費者に関係するデバイスから固有の無線信号を検知する、およびリモート管理アプリケーションからディスプレイ項目情報を受信するように構成された、無線通信要素を含み、該ディスプレイ項目情報は、位置および記述を含み；ここで、ディスプレイ項目の提示後に、アームは、位置の方向を示すために回転する且つ記述を表示し；該システムはさらに、管理アプリケーションを作り出すためにデジタル処理デバイスによって実行可能な命令を提供されたデジタル処理デバイスを含み、管理アプリケーションは、管理ユーザーがロボットサインのためのディスプレイ項目を遠隔で構成することを可能にするインターフェースを提示するように構成されたソフトウェアモジュール；およびロボットサインによるディスプレイ項目の提示に係る分析データおよび消費者トラッキングデータを提示するように構成されたソフトウェアモジュールを含み、および該システムはさらに、その位置の広告の対象の近くに位置付けられたトラッキングデバイスを含み、該トラッキングデバイスは、消費者を一意に特定する且つ消費者トラッキング情報を管理アプリケーションに報告するように構成されている。
【００１６】
特定の定義
特に他に定義されない限り、本明細書で使用される全ての技術用語は、本発明が属する当該技術分野の当業者によって一般に理解されるものと同じ意味を有する。本明細書および添付の請求項で使用されるように、単数形「ａ」、「ａｎ」、および「ｔｈｅ」は、文脈がはっきりと他に指示していない限り、複数の指示対象を含む。本明細書の「または」へのあらゆる言及は、特に他に明記のない限り、「及び／又は」を包含するように意図される。
【００１７】
ロボットサイン
一実施形態では、本明細書に記載されるロボットサインは、サインポスト、ユーザーインターフェース、１つ以上のサインアーム、サイン面、バックエンドサブシステム、および関係するソフトウェアを含む。
【００１８】
図１を参照すると、特定の実施形態において、ロボットサインは、３つのサインアームが取り付けられる伸長したサインポストを含む。サインアームは、各々がサインポストのまわりを隣接して回転することが独立して可能となるように、サインポストに可動的に取り付けられている。さらに、本実施形態では、ロボットサインは、サインを水平表面に取り付けるための装飾ベース、およびサインと対話するためのグラフィックユーザーインターフェースを表示するユーザーインターフェースパネルを含む。
【００１９】
図２の（ａ）は、特定の限定しないロボットサインおよびサインの作業ゾーンの寸法を示す。図２の（ｂ）を参照すると、特定の実施形態において、サインポストは、以下の構成要素を含む：装飾ファイニアル、３つのアーム、センターシャフト、シャフトマウント、サインポスト主本体、インターフェースパネル、電子アクセスパネル、電子機器エンクロージャー、装飾ベース、構造ベース、およびブラケット。様々な実施形態では、ロボットサインは、構成要素のリストの一部のみを含む。例えば、特定の実施形態では、１つまたは２つのアームのみが含まれる。
【００２０】
サインポスト
幾つかの実施形態では、ロボットサインは、１つ以上のロボットアームが可動的に取り付けられる、伸長サインポストを含む。さらなる実施形態では、ロボットサインは、容易な輸送、保管、及び／又は設置のための、２以上のより小さな、可逆的に接続可能な部分に随意に分解する、伸長サインポストを含む。さらなる実施形態では、サインポストは、表面への固定のための適合（ａｄａｐｔａｔｉｏｎｓ）を含む端部を含む。幾つかの実施形態では、サインポストは、地面またはベース構造体などの水平表面に対する取り付けのための垂直サインポストである。他の実施形態では、サインポストは、ビルの側面などの垂直表面に対する取り付けのための水平サインポストである。例えば、サインポストの下端部は、随意に、地面に固められるか、あるいはプレートなどのベース構造体にボルトで締められるか、または溶接される。幾つかの実施形態では、ベース構造体は、随意に、ホイールまたはキャスターなどの上に置くことなどによって、可動性の上昇に適合される。
【００２１】
サインアーム
幾つかの実施形態では、ロボットサインは、１つ以上のサインアームを含む。さらなる実施形態では、サインアームは、異なる方向および様々な位置を指し示すために移動することができるように、サインポストに適合且つ連結される。サインポストのまわりのアームの移動は、当業者に既知の任意の機構を介して達成され得る。例えば、アームの移動は、サインアームの内部に組み込まれた電気モーターによって行われ得る。サインアームは、継続的な中断されない回転のために、自由な完全な３６０度の回転が可能である。この自由な回転は、動力配線およびデータ配線に絡まないようにするために、スリップリングを使用することによって達成され得る。サインアームは、アーム、例えばアームの端部などにエクステンダーを組み込むことによって、Ｙ軸（上下）上を移動し得る。
【００２２】
様々な実施形態では、サインアームは、独立して及び様々な速度で移動する能力を有している。
【００２３】
幾つかの実施形態では、サインアームにおける内界センサーは、アームの位置を較正するために使用される。較正は、システムがオンラインになると生じ得るか、または較正が必要であるか望まれる任意の他の状況の発生で生じ得る。幾つかの実施形態では、ロボットサインシステムは、ＧＰＳ座標、磁力計、または当業者に既知の任意の他の判定システムを使用することによって、その正確な位置を判定することができ、そのようなシステムによって、それがどこにあるかを、およびその構成のアームの各々が、どこに設置されているかにかかわらず、どこを指し示しているかを知ることができる。幾つかの実施形態では、エンコーダーを使用する閉ループフィードバックシステムが、各アームのリアルタイム位置情報に使用され、それによって、各アームがどの方向を指し示しているかのトラッキングを行う。
【００２４】
幾つかの実施形態では、風速が予め決められた閾値を超えると、サインアームは、風のソースから反対方向に面するように移動し得る。これは、サインアームが強い風で損傷を受けるリスクを最小限にするために、サインの他の動作をオーバーライドする（ｏｖｅｒｒｉｄｅ）安全性プロトコルである。さらなる実施形態では、サインアームは、幾らかの他の外力が加えられるときに、ギアボックスから取り外され得る。例えば、人が強制的にアームを動かすときに、アームは、機構に対する損傷を防ぐために、ギアボックスから取り外され得る。
【００２５】
サインアームおよびインターフェースは、システムの保管及び／又は輸送のために容易に取り外すことができるように、サインポストに取り外し可能に連結され得る。
【００２６】
図３を参照すると、幾つかの実施形態において、本明細書に記載されるサインアームは、着色ガラスまたは透明ガラスまたはプラスチック１２、ディスプレイセグメント１３、カフ／アクセスパネル１４、ボールベアリング１５、ベアリングリテーナ１６、スリップリング１７、保護カバー／ポストセグメント１８、ギア１９、エンコーダー２０、ｕＣ／モーターコントローラ２１、モーター２２、スラスト軸受２３、およびアームシャーシ２４を含む。
【００２７】
サインアーム測位システム
幾つかの実施形態では、サインアームの内部に、モーターコントローラボードがある。さらなる実施形態では、モーターコントローラボードは、インターフェースパネルの内部で実行している主クライアントプログラムからＲＳ４８５バスを介して命令をとる、ソフトウェアプログラムを実行し、モーターの方向および速度を制御する且つアームセンサー内から位置フィードバックをとるための必要な機能を行う。幾つかの実施形態では、ディスプレイ項目は、サインアームを位置決めするための位置または方向を含むディスプレイ項目情報を含む。さらなる実施形態では、サインアームは、一連の回転または部分的な回転などの、アニメーションを形成する一連の運動によって位置決めされる。
【００２８】
サインアームの位置決めフィードバックシステムは、随意に、（本明細書にさらに記載される）１つ以上のセンサーを含む。これらのセンサーからの位置フィードバックを使用して、コントローラは、アームが指し示している方向を正確に判定することができる。モーターの出力および方向を設定することによって、コントローラは、アームを新しい位置に動かすことができる。アームが動くと、コントローラは、アームの新しい位置のためのフィードバックセンサーを絶えずモニタリングする。現在位置とターゲット位置との間の距離が縮小すると、コントローラは、アームがターゲットにより近づいていることを認識し、それ故、モーターの速度を遅くし始め、アームは、新しいターゲット位置に当たるときに、停止する又はブレーキがかけられる。
【００２９】
センサー１：磁力計
幾つかの実施形態では、コントローラは、サインアームの先端の位置など、任意の適切な位置に位置付けられ得る磁力計に接続されている。磁力計は、コントローラに、それが指し示す場所に対する基準として読み取るコンパスを与える。このように、サインは、手動較正を必要とすることなく、ある位置に非常に迅速に設置され得る。サインが手動較正を使用して設置されるときに、サインアームはすべて、既知のコンパス位置（例えば、北（Ｎｏｒｔｈ））に手動で動かされ、コントローラプログラムには、この既知の位置から開始するように較正される命令が与えられる。
【００３０】
センサー２：磁気リードスイッチ
幾つかの実施形態では、サインアームは、主センターシャフトに連結される静的部分を有する。この静的部分は、１セットのギアおよび小さな磁石で構成され得る。磁石がアームと回転しないため、磁気センサー（リードスイッチ）は、アームがこの磁石を通り過ぎる度に読み取りを引き起こす。このように、アームが指し示す一定の基準点がある。較正されたときに、（手動較正または磁力計のいずれかを使用する）アーム、システムは、現在の位置が、最後にリードスイッチが引き起こされたときからの時計回りの運動にあるエンコーダーパルスの数をモニタリングする。
【００３１】
センサー３：回転エンコーダー
幾つかの実施形態では、回転式の直交エンコーダーは、アームの相対位置に基づいて、コントローラに一定のリアルタイムフィードバックを与える。エンコーダーはまた、アームが動いている方向に関する情報を返す。これは、どちらかの方向で作動中のアームに外力が働く場合に有用であり、コントローラは、それでもアームの位置を認識するだろう。
【００３２】
各アームのアドレス指定（Ａｄｄｒｅｓｓｉｎｇ）
幾つかの実施形態では、本明細書に記載されるサイン、システム、ネットワーク、および方法は、各アームをアドレス指定するための機構を含む。幾つかの実施形態では、ソフトウェアは、各アームに特定コマンドを送信し、アドレス指定方式が各アームに組み込まれる。さらなる実施形態では、機械的なＤＩＰスイッチによって、オペレーターは、サインの設置に各アームに対する固有のアドレスを定義することが可能となる。
【００３３】
モーターの選択
ロボットサインアームのためのモーターを選択するときに、速度比に対するサイズおよびトルクを考慮することが重要である。特定の実施形態では、ロボットサインシステムは、ステップ当たり（ｐｅｒ ｓｔｅｐ）１．８度のステッパーモーター（ＮＥＭＡ １７サイズのフレーム）を使用する。適切なモーターは、ステップ当たり少なくとも０．５、１、２、３、４、５、６、７、８、９、１０、１１、１２、１３、１４、１５、１６、１７、１８、１９、２０、２１、２２、２３、２４、２５、２６、２７、２８、２９、または３０度を有するものを含む。適切なステッパーモーターは、以下の共通のステップ角の１つを有するものを含む：０．３６°、０．７２°、０．９°、１．８°、３．７５°または７．５°。ステッパーモーターの小さなステップ角、および速度比に対する比較的高いトルクによって、それほど多くのギアリングを加える必要なく、穏やかな天候またはインドアでの用途において十分なトルクを有して、適度な速度でアームを駆動することが可能となる。
【００３４】
モーターの要件のための一般的な目安は、それが、約１．５乃至３秒の加速時間で、または少なくとも０．１、０．２、０．３、０．４、０．５、０．６、０．７、０．８、０．９、１、２、３、４、５、６、７、８、９、または１０秒の加速時間で、アームを停止状態から最高速度に動かすことができるということである。および、アームの最高速度は、約０．２ＲＰＭ（１回転で５秒）であるべきである。アームのサイズ、重量および慣性に依存して、また風荷重などの外力に依存して、モーターのパワーは調節される必要があるだろう。
【００３５】
幾つかの実施形態では、動作デューティサイクルおよび熱の問題（ｈｅａｔ ｃｏｎｃｅｒｎｓ）が、モーターの決定の際に考慮に入れられる必要がる。特定の実施形態では、暑い及び湿潤気候下でのアウトドアの操作において、高い熱操作の評価（ｔｈｅｒｍａｌ ｏｐｅｒａｔｉｏｎ ｒａｔｉｎｇ）および高いＩＰ／ＮＥＭＡ評価を有するモーターが必要である。
【００３６】
幾つかの用途では、システムは、１つ以上のブラシ付き又はブラシなしのＡＣまたはＤＣモーター、あるいは１つ以上のＡＣ誘導モーターを含む。
【００３７】
幾つかの用途では、システムは、１つ以上のＤＣサーボモーターを含む。幾つかの状況では、このタイプのモーターは、サーボモーターが典型的にステッパーモーターより高速で作動するために、サインのためのギアリングに置くのにより慎重になる必要がある。
【００３８】
ブレーキ
幾つかの実施形態では、本明細書に記載されるサイン、システム、ネットワーク、および方法は、各アームにブレーキをかけるように適合させた機構を含む。サインアームが強風状態で機能することを確かなものとするために、各サインアームに、ブレーキ機構が備え付けられるべきである。限定しない例は、電磁ブレーキを含む。様々な実施形態では、ステッパーモーターのような、ホールド機能を有するモーターは、使用されるときに、サインアームを適所に保持するように使用される。
【００３９】
サイン面
各サインアームは、１つ以上の面を含む。
幾つかの実施形態では、１つ以上のディスプレイスクリーンが、サインアーム面に付けられている。特定の実施形態では、サインアームは、２つの面を含み、その各々は、テキストコンテンツ、グラフィカルコンテンツ、またはビデオコンテンツなどの情報を表示するためのディスプレイスクリーンを備える。スクリーンは、例えば、ＬＥＤ、ＬＣＤ、プラズマなどの、現在既知の又はその後発明される、視覚情報を表示することができる任意の技術を随意に使用する。サイン面は、サインアームが指し示している位置情報および位置のイコノグラフィを表示し得る。１つを超えるサインアームが同じ位置を指し示しているときに、サイン面は、システムがユーザーにより多くの情報をレンダリングすることを可能にするより大きなディスプレイ面を形成するために使用されてもよい。例えば、図９のＢを参照。
【００４０】
ディスプレイおよび光学系（ｏｐｔｉｃｓ）
幾つかの実施形態では、本明細書に記載されるデバイス、システム、ネットワーク、および方法は、ロボットサイン、またはその使用を含む。幾つかの実施形態では、各サインアームは、２側面のスクリーンを有する。特定の実施形態では、これらのサインは、各アームにおいてマイクロコントローラによって制御される。コマンドは、サインの底部においてマスターコントローラから送信され、これは、マイクロコントローラによって解釈されて、続いてコンテンツをスクリーンに描き出す。未加工のフレームバッファーデータも、マスターコントローラから、レンダリングされるスクリーンに直接送られ得、レンダリングのためにコントローラを効果的にバイパスする。スクリーンの解像度、アームの数、サインにおける内部データ帯域幅についての詳細に依存して、各アームにおけるコンテンツを、マスターコントローラにおけるのとは対照的にレンダリングすることは、唯一のオプションであり得る。具体的な設置条件に依存して、スクリーンは、マトリックス中の個々のＬＥＤ（ＲＧＢ／Ｃｏｌｏｒｅｄ ＬＥＤを含む）、ＬＥＤバックライト付きＴＦＴ、ＬＣＤ、電子インク様ディスプレイ（ｅ−ｉｎｋ−ｌｉｋｅ ｄｉｓｐｌａｙｓ）などの、任意のディスプレイテクノロジーから構成され得る。アウトドア用途のために、高コントラストを有する十分に明るいスクリーンが必要とされる。マトリックス中の高輝度の離散（ｄｉｓｃｒｅｅｔ）ＬＥＤの使用は、良い選択であり、半透過型ディスプレイなどの、他のもの、アウトドア／日光下で読み取り可能なディスプレイが好ましい。電子インクまたはそれに類似したものなどの、パッシブディスプレイ技術も使用され得る。これは、低消費電力用途の副作用および太陽パネルでと操作の可能性を有するだろう。
【００４１】
ＬＥＤ配列の寸法はカスタマイズされる。幾つかの実施形態では、ＬＥＤ配列の各軸は、少なくとも１、２、３、４、５、６、７、８、９、１０、１１、１２、１３、１４、１５、１６、１７、１８、１９、２０、２５、３０、３５、４０、４５、５０、６０、７０、８０、９０、１００、１１０、１２０、１３０、１４０、１５０、１６０、１７０、１８０、１９０、２００、または３００のＬＥＤを含む。一実施形態では、ディスプレイは、カスタムのフォント、アイコンなどを表示する１６×１７６のＬＥＤ配列を含む。別の実施形態では、ディスプレイは、カスタムのフォント、アイコンなどを表示する３２×１９２のＬＥＤ配列を含む。
【００４２】
さらに、ディスプレイの光学系を増強するために、特に離散ＬＥＤを使用するときに、幾つかの実施形態は、コントラストを上げるために、暗色に着色されたガラスまたはプラスチックを備えるＬＥＤをカバーする。特定の実施形態では、より暗色の材料は通常コントラストを上げるが、同時に全体的な表示の高輝度を低下させる。幾つかの実施形態では、すべての光の１２％−３０％が、離散ＬＥＤとの最良のペアリングである。
【００４３】
幾つかの実施形態では、サインの前の光学スクリーンは、各ピクセルの外観性（ａｐｐｅｒａｎｃｅ）を高めるために、各ピクセルに対する小さなレンズへと形成される。モールド成形／機械加工または成形の他の方法によって、各ピクセルの前に特有のレンズを置くことができ、これは、以下の２つのことを行う助けとなるだろう：１：スクリーンの全体的な観察された高輝度を最適化するために放射された光を前方へ且つ下向きに集中させる、２：各ピクセルをより大きく及びその隣接するピクセルにより接近するように見せる。
【００４４】
インターフェース
幾つかの実施形態では、本明細書に記載されるサイン、システム、ネットワーク、および方法は、インターフェースを含む。インターフェースは、入力機構を備えるパネルなどの、当業者に既知の任意のユーザーインターフェースであり得る。幾つかの実施形態では、インターフェースは、システムが置かれる位置のマップを表示するスクリーンである。インターフェースパネルは、ユーザーがオプションを選択し、情報を介してナビゲートするための入力オプションを有している。幾つかの実施形態では、インターフェースは、例えば、ユーザーにとって好都合な高さでサインポスト上に取り付けることなどによって、任意の好都合な方法でシステムに連結させる。インターフェースは、ユーザーにメニューオプション及び／又は他の情報を、及び／又はユーザーがメニューオプションから選択することを可能にするために、ボタン及び／又はタッチスクリーン、あるいは当業者に既知の幾つかの他の組み合わせを表示するためのグラフィカルユーザーインターフェースを有し得る。提供されるメニューオプションは、ユーザーが、限定されないが、食物、ショッピング、交通、サービス、特別なイベントなどの、様々なカテゴリーの情報に関連するデータをリクエストすることを可能にし得る。システムは、例えば、スマートフォン、スマートウォッチなどのユーザーの無線デバイスに情報を送信することなどによって、システムから収集された方向または他の情報をユーザーに送信するための機能を含んでもよい。
【００４５】
様々なオプションが、ユーザーに利用可能であり得、想像によってのみ限定される。
オプションは、静的なものであり得るか、または変更し得る。オプションは、管理入力によって手動で変更され得るか、または、例えば、
プログラムによって検知され得るイベント；
手動で検知され、中央データベースに入れられ得るイベント；
時刻または週；
具体的なカレンダーイベントまたは休日；
システムに連結されたセンサーから得られたデータ；および
ウェブで使用可能なデータサービス用のＡＰＩ、
によって自動的に変更し得る。
【００４６】
このリストの様々なオプションに加えて、当業者に容易に明らかとなる他のオプションも、どのメニューオプションが現われるかを指定する（ｄｉｃｔａｔｅ）ことができるが、サイン面のコンテンツを、与えられたメニューオプションのために変化させる場合もある。
【００４７】
タッチベースのインターフェースに加えて、ユーザーは、現在当業者に既知の又は後に発明される他の対話方法によって、システムと対話してもよい。例えば、システムは、ユーザーの心拍動／心拍数を検知し得る、着ている衣服のタイプを検知し得る、何を保持しているかなどを判定し得る、およびその収集された情報に関係する情報を表示し得る。例えば、靴店から買い物袋を保持する女性は、近くの更なる靴の買い物に関する情報を受け取り得る。
【００４８】
ユーザーがメニューオプションの１つを選択すると、サインアームの少なくとも１つは、選択されたオプションに関連する情報を表示するために、その位置およびコンテンツをアップデートするだろう。
【００４９】
システムは、例えば、Ｗｉ−Ｆｉ、有線のイーサネット（登録商標）、セルラーネットワーク、及び／又は光ファイバーネットワークなどを介して、当業者に既知の任意の方法によって、インターネットに接続されてもよい。インターフェースは、インターネット接続を提供し得る。
【００５０】
スマートサインは、インターフェース、スマートサインおよびバックエンドシステムに動作可能に連結され得るコンピューター（インターフェースコンピューター）をさらに含んでもよい。インターフェースコンピューターは、例えば、ＲＳ４８５シリアルバスを介して、当業者に既知の任意の方法によって、サインアームおよびサイン面に動作可能に連結されてもよい。
【００５１】
インターフェースコンピューターは、バックエンドシステムとサインアームおよび表示面の間の通信ポートとして機能する。インターフェースコンピューターは、バックエンドシステムと同様にサインアームおよびサイン面とリアルタイムで通信し得る。インターフェースコンピューターは、例えば、光学システムおよび風速および温度などの気候センサーなどの、複数の入力センサーに連結されてもよい。
【００５２】
幾つかの実施形態では、本明細書に記載されるサイン、システム、ネットワーク、および方法は、カスタマイズ可能なインターフェースパネルを含む。インターフェースパネルは、各々の設置用にカスタマイズされ得、必要に応じて、取り外されることもある。パネルは、マップに加えて、ローカルのイベントおよび位置、および他の関連するローカル情報のためのカテゴリーの動的リストを含むことができる。
【００５３】
図４を参照すると、特定の実施形態において、ユーザーインターフェースパネルは、ＧＵＩを提示するためのＬＣＤディスプレイを備える卵型パネルを含む。本実施形態では、ユーザーインターフェースパネルは、インターフェースノブ（ひねってハイライト表示する；押して選択する）１、ガラスリテーナ２、透明ガラスまたはプラスチックスクリーン３、装飾マスク４、ディスプレイ取付プレート５、ＬＣＤディスプレイ６、通信およびパワー入力要素７、外側リム８、パネルをポストに取り付けるためのバックプレート９、ＤＣ−ＤＣ電源１０、および組込み型コンピューター１１を含む。
【００５４】
インターフェースパネルは、多くの方法で適切に実施される。例えば、幾つかの実施形態では、インターフェースパネルは、ＧＵＩを提示するデジタルディスプレイを含む。図５の（ａ）を参照すると、一実施形態において、適切なＧＵＩは、対象の地点を示すロボットサインのまわりの領域のマップを含む。図５の（ｂ）を参照すると、別の実施形態において、適切なＧＵＩは、ユーザーが、例えば、タッチスクリーンまたはインターフェースノブを使用して、対象の特定の地点を選択することを可能にする地点のリストを含む。図５の（ｃ）を参照すると、別の実施形態において、適切なＧＵＩは、その各々に関係するディスプレイを備えるボタンを含み、ここでユーザーは、ボタンを使用して、インターフェースパネルと対話する。
【００５５】
図１２は、本明細書に記載されるロボットサインとのユーザー対話のための限定しないプロセスフローを示す。図１２を参照すると、特定の実施形態において、ユーザーは、ロボットサインに接近し、メニュー項目のリストからメニュー項目を選択するために、サインポスト上のインターフェースパネルと対話する。選択された項目がハイライト表示される。ユーザー選択に応じて、サインアームは、選択された項目に関係する位置を指し示すために回転され、サイン面上のスクリーンは、選択された項目に関係するコンテンツを表示する。ユーザーは、別の項目を選択するオプションを有する。ユーザーが別の項目を選択しない場合、メニューは、その元の、ハイライト表示されていない状態に戻り、サインは、アイドルモードからコンテンツの表示を再開する。ユーザーが別のメニュー項目を選択する場合、サインは、選択された項目が、最後に選択された項目と同じであるか又は異なるかを判定する。
【００５６】
ベース
幾つかの実施形態では、本明細書に記載されるサイン、システム、ネットワーク、および方法は、ベースを含む。図６を参照すると、特定の実施形態において、ロボットサインは、伸長サインポスト３６の一端にベースを含む。本実施形態では、ベースは、装飾ベースカバー２７、ベース／取付プレート２８、支柱ブラケット２９、ＡＣ／ＤＣ電源１２乃至４８Ｖ ３０、ＡＣ／ＤＣ電源５Ｖ ３１、回路遮断器３２、分配ブロック３３、組込み型コンピューター３４、ケーブルアクセスパネルを備えるコンピューターシャーシのトップカバー３５、コンピューターシャーシのロック３７、および入力電源線導管３８を含む。
【００５７】
センサー
幾つかの実施形態では、本明細書に記載されるサイン、システム、ネットワーク、および方法は、センサーを含む。幾つかの実施形態では、センサーは、交通流、セキュリティ、試験などの推測のために使用されるカメラを含む。幾つかの実施形態では、センサーは、温度、湿度、及び／又は風速／方向のセンシングを含む。これらのセンサーは、サインの環境条件についての情報を提供し、オーバヒーティングまたは強風において空気力学的（ａｅｒｏｄｙｎａｍｉｃ）となる場合にそれ自体を保護することが可能となる。幾つかの実施形態では、センサーは、ＮＦＣ／ＲＦ−ＩＤを含み、これによって、通り過ぎる人はデータを受信または処理する（ｐｕｓｈ）することが可能となる。さらなる実施形態では、センサーは、メンテナンスおよび試験に使用される。幾つかの実施形態では、センサーは、アームまたはサインポストに置かれる周囲光センサーを含み、これによって、各サインアームは、その高輝度を変化させることが可能となる。幾つかの実施形態では、センサーから収集されたデータは、他の当事者に使用許可が与えられる。
【００５８】
ディスプレイ項目
幾つかの実施形態では、本明細書に記載されるサイン、システム、ネットワーク、および方法は、ディスプレイ項目情報によって記載されたディスプレイ項目を含む。さらなる実施形態では、各ディスプレイ項目は、位置および記述を含む。またさらなる実施形態では、ディスプレイ項目は、ロボットサインの回転アーム上のディスプレイに提示され、ここでアームは、位置の方向を示すために回転し、サインアームの面に関係するディスプレイスクリーンに記述を表示する。
【００５９】
多くのタイプのディスプレイ項目が適切である。幾つかの実施形態では、ディスプレイ項目は、サインから対象の地点（例えば、イベント、小売り店、記念碑、施設、人など）までの距離を含む。幾つかの実施形態では、ディスプレイ項目は、項目に関する情報を視覚的に通信するための、グラフィックアイコン、写真、アニメ化されたイラスト、またはビデオを含む。幾つかの実施形態では、ディスプレイ項目は、場所、名称、位置、日付、時間、待ち時間、輸送情報、および公共施設情報などの、特定の位置に固有の情報を含む。幾つかの実施形態では、ディスプレイ項目は、価格、割引、クーポンコード、申込、または広告などの、小売取引に関する情報を含む。幾つかの実施形態では、ディスプレイ項目は、ニュースヘッドライン、株式相場、スポーツスコア、または気象通報を含む。幾つかの実施形態では、ディスプレイ項目は、レビュー、格付け、ソーシャルポスト、マイクロブログポスト、ソーシャル写真共有サービスに投稿された媒体、またはソーシャルビデオ共有サービスに投稿された媒体（例えば、ＹｏｕＴｕｂｅ（登録商標）、Ｖｉｍｅｏ、Ｉｎｓｔｒａｇｒａｍなど）などの、ソーシャルメディア情報を含む。
【００６０】
設置
幾つかの実施形態では、本明細書に記載されるサイン、システム、ネットワーク、および方法は、カスタマイズされた設置を含む。設置のためのベースボルトパターンは、任意の適切な設置標準のために随意にカスタマイズされる。限定しない例は、本開示に記載されるロボットサインと交換されている都市のランプポストを含む。これには、グラウンドアンカーへのアップグレードを必要とせず、サインにパワーを提供するための新しいケーブルを設置する必要もない。
【００６１】
サイン設計
幾つかの実施形態では、本明細書に記載されるサイン、システム、ネットワーク、および方法は、可撓性の又はカスタマイズ可能なサイン設計を含む。サインの外観性、例えば、本体全体またはその一部分の色および形状は、与えられた位置のための類似の設計された要素（限定しない例は、ランプ、サイン、交通信号灯、ビル、バナーなどを含む。）と一致するように変更され得る。装飾部分はすべて、容易に交換される。
【００６２】
一実施形態では、本明細書に記載されるロボットサインは、同じ種類のマウンティングブラケットを使用する及び各街灯位置に既に提供されているパワーを利用することによって、既存のランプを交換するように設計されている。幾つかの実施形態では、サインポストの上部のファイニアルは、ＤＣ電力で作用するＬＥＤ街灯バルブを備える装飾ランプと交換される。他の様々な実施形態では、本明細書に記載されるロボットサインは、天井から吊るす又は壁から宙づりにするように適合され、様々な位置で使用される。
【００６３】
管理プラットホーム／アプリケーション
幾つかの実施形態では、バックエンドサブシステムは、１つ以上のロボットサインまたはサインのネットワークのための中心入力および制御機構として使用される。バックエンドサブシステムは、随意に１つ以上のサインのための位置情報および構成の設定を保存するために使用される。バックエンドサブシステム用のユーザーインターフェースによって、異なる特権レベルを有する管理者は、システムのコンテンツおよび構成を作成する、除去する、およびそうでなければ編集することが可能となる。例えば、管理者は、随意に、サインの位置のＧＰＳ座標を入力し、システムに、それを取り囲む位置に関するデータをデータベースに自動的に追加させる。
【００６４】
例えば、幾つかの実施形態では、本明細書に記載されるサイン、システム、ネットワーク、および方法は、管理プラットホーム及び／又はアプリケーションを含む。さらなる実施形態では、管理プラットホーム／アプリケーションによって、ユーザーは、いつ及びどのくらいの間コンテンツを表示させたいか、およびどのポール／サイン上にそれを出現させたいかを正確に明記することが可能となる。幾つかの実施形態では、管理プラットホーム／アプリケーションは、ユーザーが正確に適合し出現するポストを確かなものとするためにポストをプレビューすることを可能にする、ポスト作成ウィンドウを含む。幾つかの実施形態では、管理プラットホーム／アプリケーションは、表示されるように構成された、コンテンツのカレンダーベースのスケジュールを含む。幾つかの実施形態では、管理プラットホーム／アプリケーションは、以前に表示されたコンテンツおよび現在表示されているコンテンツに係る情報を提示する分析ディスプレイを含む。
【００６５】
幾つかの実施形態では、本明細書に記載される管理アプリケーションは、ウェブアプリケーションである。他の実施形態では、本明細書に記載される管理アプリケーションは、モバイルアプリケーションである。さらなる実施形態では、管理アプリケーションは、１つ以上のロボットサインにコンテンツを投稿する権限を与えられた、管理ユーザー、例えば、ロボットサインの所有者またはオペレーター、ロボットサインネットワークの所有者またはオペレーター、ロボットサイン広告ネットワークの所有者またはオペレーター、または商人／ベンダー／サービスプロバイダーによる使用に適合されている。
【００６６】
図７を参照すると、特定の実施形態において、管理プラットホーム／アプリケーションによって、サインの所有者または自営業者（ｉｎｄｅｐｅｎｄｅｎｔ ｂｕｓｉｎｅｓｓ）は、投稿する認可を与えられたサインにコンテンツを押し上げる（ｐｕｓｈ ｃｏｎｔｅｎｔ ｕｐ）とが可能となる。本実施形態では、管理プラットホーム／アプリケーションは、管理ユーザーが、各ポストに対して、名称、開始日、開始時間、終了日、終了時間、ディスプレイ繰り返しパラメーター（ｄｉｓｐｌａｙ ｒｅｐｅａｔ ｐａｒａｍｅｔｅｒ）、位置、オーバーライドカテゴリー、オーバータイム時間テキスト、随意の表題、および随意のアイコンを設定することを可能にする、インターフェースを含む。さらに、本実施形態では、管理プラットホーム／アプリケーションは、設定されたポストがサインのディスプレイ上でどのように見えるかのリアリタイムのプレビューを含む。
【００６７】
図８のＡを参照すると、特定の実施形態において、管理プラットホーム／アプリケーションは、１つ以上のロボットサインに対する過去および現在のポストの他に、将来のために計画されたポストを含む、ポストのスケジュールを含む。他の実施形態では、スケジュールは、カレンダーの形態である。さらなる実施形態では、プラットホームは、随意に、カレンダーにコンテンツを自動的に追加するために、任意のアプリケーションプログラミングインターフェース（ＡＰＩ）に接続される。
【００６８】
バックエンドサブシステムはまた、随意に、それに関係するサインから統計データを集める。収集されたデータは、管理者によって特定されたデータストリーム、例えば、ユーザーとの対話処理、知覚データ収集を適切に含む。関係するセンサーからデータ収集ストリームを組み込むことによって、システムは、随意に、どれだけのユーザーがスマートサインを通り過ぎるか、またはその近くに立ち寄るかに関するデータを収集する。別の例として、システムは、随意に、ユーザーが、位置、時刻、時季などに応じて、どのような情報をリクエストしているかに関するメトリクスを収集する。
【００６９】
図８のＢを参照すると、特定の実施形態において、管理プラットホーム／アプリケーションは、ユーザーが、どれだけの人が特定のサインの視聴範囲にいるか、特定のポストが何回表示されているか、および合計でいくつのポストが表示されているかを閲覧することを可能にする分析セクションを含む。本実施形態では、分析データは、例として、毎日、毎週、毎月を含む、指定された期間の間、閲覧可能である。
【００７０】
図１１は、システムの例を示す。図１１を参照すると、特定の実施形態において、データベースと通信するウェブサーバーは、管理ウェブサイトを提示し、これは、インターネットまたは幾つかの他のＩＰネットワークによって、ロボットサインの組込み型コンピューターに接続される。本実施形態では、ロボットサインは、メニューディスプレイを提示するユーザーインターフェースおよび１つ以上のユーザー入力要素を含む。サインの組込み型コンピューターはさらに、ＲＳ４８５シリアルバスまたはＩＰネットワークを介して、サインアームに接続される。さらに、本実施形態では、サインアームは、２つのディスプレイ面および回転エンコーダーを含むモーターコントローラ、リードセンサー、磁力計／コンパス、およびモーター／ブレーキを含む。
【００７１】
アプリケーション（Ａｐｐｓ）
幾つかの実施形態では、各スマートサインシステムは、随意に、バックエンドサブシステムを介して、任意数のアプリケーションを実行するように構成される。一旦ユーザーがインターフェースパネルのオプションを選択すると、対応するアップが、インターフェースコンピューター上で実行される。アプリケーションは、知覚データ、およびローカルにユーザーインターフェース、サイン面、およびサインアームの回転位置に対するアップデートをレンダリングするためのカスタムビジネスロジックを使用する、独立型プログラムとして実行され得る（すなわち、異なる角度または様々な地理的場所での指し示しなど）。
【００７２】
さらなる実施形態では、アプリケーションはまた、データベースまたは他の利用可能な情報ストリームからデータまたは構成の設定を得るために、バックエンドサブシステムとインターフェースで接続されてもよい。例として、システムは、ソーシャルネットワーキングサービス、マイクロブログサービス、ソーシャルディスカバリーサービス、ニュースフィード、スポーツフィード、天気予報サービスなどから、データを引き出し得る。
【００７３】
公共のアプリケーション
幾つかの実施形態では、本明細書に記載されるサイン、システム、ネットワーク、および方法は、公共の、消費者アプリケーションを含む。さらなる実施形態では、公共の、消費者アプリケーションによって、ユーザーは、特定のロボットサインから最近のポストのすべてを閲覧する、閲覧したサインのコンテンツの履歴を閲覧する、および適切な条件下で、１つ以上のサインにコンテンツを投稿することが可能となる。幾つかの実施形態では、本明細書に記載される、公共の、消費者アプリケーションは、ウェブアプリケーションである。他の実施形態では、本明細書に記載される、公共の、消費者アプリケーションは、モバイルアプリケーションである。さらなる実施形態では、公共の、消費者アプリケーションは、コンテンツを消費するエンドユーザーによる使用に適合される。
【００７４】
図１０のＡを参照すると、特定の実施形態において、公共の、消費者アプリケーションは、ロボットサイン、プラットホーム、およびネットワークに投稿されているコンテンツを閲覧するためのインターフェースを含む。本実施形態では、投稿されたコンテンツのリストは、随意に、ポストのタイプ及び／又はポストのリーセンシー（ｒｅｃｅｎｃｙ）によって分類される。
【００７５】
図１０のＢを参照すると、特定の実施形態において、公共の、消費者アプリケーションは、１つ以上のサインにコンテンツを投稿するためのインターフェースを含む。本実施形態では、適切な及び有用な公共ポストが、物理的なロボットサインに勧められるだろう。さらに、本実施形態では、例えば、閲覧および訪問を含む、ユーザーに投稿されたコンテンツに対して、分析が提供される。
【００７６】
モバイル消費者アプリケーションは、随意に、Ｗｉ−ＦｉおよびＢｌｕｅｔｏｏｔｈ（登録商標）のトラッキングに接続され、随意に、特定のコンテンツを消費するエンドユーザーに最も適切なコンテンツを提供するために、モバイルデバイスのＧＰＳ測位データを利用する。
【００７７】
幾つかの実施形態では、モバイル消費者アプリケーションは、消費者に新しいサインのコンテンツ（例えば、最近投稿されたディスプレイ項目）または近くのロボットサインの利用可能性を知らせるためにサウンドキュー（ｓｏｕｎｄ ｃｕｅｓ）を使用する。
【００７８】
トラッキングおよびデバイスのスニッフィング（ｓｎｉｆｆｉｎｇ）
幾つかの実施形態では、本明細書に記載されるサイン、システム、ネットワーク、および方法は、通信要素を含む。様々な実施形態では、通信モジュールは、無線、有線、または無線と有線の組み合わせである。幾つかの実施形態では、ロボットサインは、どれだけの人が、任意の与えられた時間に与えられたロボットサインのまわりにいるかを推測するために、携帯電話などのＷｉ−Ｆｉ及び／又はＢｌｕｅｔｏｏｔｈ（登録商標）デバイスのためのスキャンを行う。他の実施形態では、カメラは、顔認識アルゴリズムが適用される画像を提供する。さらなる実施形態では、サインのまわりの個々の人が識別される。
【００７９】
幾つかの実施形態では、本明細書に記載されるサイン、システム、ネットワーク、および方法は、広告プラットホームの一部分である。Ｗｉ−Ｆｉスニッフィング／トラッキング使用することによって、システムは、トラフィックを推測し、与えられたポストに価値を与えることができる。さらなる実施形態では、広告主は、随意に、与えられた視聴者の価値に従ってサインベースの広告に入札するために、リアルタイムの交換入札システムに参加する。幾つかの実施形態では、獲得したトラフィックデータは、第三者に権限が与えられる。
【００８０】
図９のＡおよびＢを参照すると、幾つかの実施形態では、本明細書に記載されるサイン、システム、ネットワーク、および方法は、広告プラットホームを含む。これらの実施形態では、ロボットサインは、例えば、イベント、製品、サービス、および特価品（ｓｐｅｃｉａｌｓ）／オファー（ｏｆｆｅｒｓ）を広告するための１つ以上のサインアームのディスプレイを使用する。このモードにおいて、サインポストは、収益化され得（ｍｏｎｅｔｉｚｅｄ）、ここで事業者／ユーザーは、ポストをより頻繁に上げる及びより多くの目に触れさせるために支払いを行う。
【００８１】
幾つかの実施形態では、サインポストに連結される、独立型のホッケー用パックのサイズのデバイス（ｓｔａｎｄ−ａｌｏｎｇ ｈｏｃｋｅｙ−ｐｕｃｋ ｓｉｚｅｄ ｄｅｖｉｃｅ）は、ビジネスユーザーに与えられ、その場所に設置される。このデバイスは、単独で、同じように近くのイベント／トラフィック／携帯電話のためのスキャンを行うことができる。サインと組み合わせたときに、デバイスは、様々な対象、例えば、人、イベント、車両、モバイルコンピューティングデバイス、テロリスト、広告主、および見込み顧客をトラッキングする。モバイルデバイスがサインポストの近くで特定メッセージとともに特定されたときに、本明細書に記載されるシステム、デバイス、装置、プラットホーム、および媒体は、モバイルデバイスのユーザーが、広告された近接内にいるかどうかを特定することができる。
【００８２】
幾つかの実施形態では、サインポストは、アトラクション施設（ａｔｔｒａｃｔｉｏｎ）に設置され、サインポストが、与えられたサインに誰が近いか、どのようなスケジュールであるか、どこにいるかを特定し、表示されたコンテンツを適切に調整することを可能にする。
【００８３】
幾つかの実施形態では、ディスプレイ項目は、非広告コンテンツを含み、例えば、都市は、人がＡからＢに到着するためにとる３つの経路のいずれかをトラッキングする（およびそれに影響を与える）ことを望み、ここでは、各経路に沿って、人を検知し再配向することができるロボットサインがある。
【００８４】
幾つかの実施形態では、本明細書に記載されるサイン、システム、ネットワーク、および方法は、モバイルデバイスにインストールされたソフトウェアアプリケーションを含む。モバイルユーザーが、サインポストによってトラッキングされる且つ適切な情報／コンテンツを提供されることを可能にするために、ソフトウェアアプリケーションは、サインポストと連結される。
【００８５】
幾つかの実施形態では、サインおよび他の関係するデバイスは、有料または無料のインターネット接続を公に及びビジネスと提供するために使用される。
【００８６】
他のスクリーンに対するコンテンツの権限付与
幾つかの実施形態では、本明細書に記載されるサイン、システム、ネットワーク、および方法は、コンテンツのデータベースを含む。他のインドアおよびアウトドアの標識会社は、随意に、データベースからローカルコンテンツを表示するために、ライセンスキーを購入する。一実施形態では、事業所（ｓｔａｔｉｏｎ）は、ロボットによるサインプラットホームに投稿されるローカルビジネスのコンテンツを利用する多数の動的スクリーンを設置する。
【００８７】
サインポストを設置する位置
幾つかの実施形態では、本明細書に記載されるサイン、システム、ネットワーク、および方法は、ロボットサインを設置する位置を含む。好適例は、都市、大学キャンパス、遊園地、会議、ホテル、カジノ、オリンピック、およびスポーツの試合を含む。特定の実施形態では、ロボットサインは、都市の至る所に設置され、ローカルビジネスが、天候、黄色信号（ａｍｂｅｒ）、輸送、都市のバイク、銀行、レストラン、ストア、ショッピングセンター、博物館、ビルなどの、緊急警報を含む公共／都市の情報に対するコンテンツを推し進めることに加え、そのためにコンテンツを利用することを可能にする様々な実施形態では、遊園地のように、ロボットサインは、乗り物／ショーの待ち時間を表示する、特定の経路が混雑したときの交通流を指し示す、お手洗いをハイライト表示する、および他のサービスために設置される。特定の実施形態では、会議、カジノ、及び／又はホテルのように、ロボットサインは、来たる会談／イベントを表示する、人を適切な方向に配向する、お手洗いをハイライト表示する、および他のサービスために使用される。幾つかの実施形態では、スポーツイベントまたはオリンピック競技など、ロボットサインは、リアルタイムのスコア／マッチ／イベント情報を表示する一方で、人々を適切な方向に指示するために使用される。
【００８８】
幾つかの実施形態では、サインポストは、例えば、Ｇｏｏｇｌｅ、Ｆａｃｅｂｏｏｋ、Ｔｗｉｔｔｅｒ、Ｆｏｕｒｓｑｕａｒｅ、Ｙｅｌｐ、Ｓｅａｍｌｅｓｓなどからのソーシャルネットワーク媒体のソースに連結される。
【００８９】
デジタル処理デバイス
幾つかの実施形態では、本明細書に記載されるサイン、システム、ネットワーク、および方法は、デジタル処理デバイス、またはその使用を含む。さらなる実施形態では、デジタル処理デバイスは、デバイスの機能を実行する、１つ以上のハードウェア中央処理装置（ＣＰＵ）を含む。またさらなる実施形態では、デジタル処理デバイスは、実行可能命令を実行するように構成されたオペレーティングシステムをさらに含む。幾つかの実施形態では、デジタル処理デバイスは、随意に、コンピューターネットワークに接続される。さらなる実施形態では、デジタル処理デバイスは、随意に、Ｗｏｒｌｄ Ｗｉｄｅ Ｗｅｂにアクセスするようにインターネットに接続される。またさらなる実施形態では、デジタル処理デバイスは、随意に、クラウドコンピューティングインフラストラクチャーに接続される。他の実施形態では、デジタル処理デバイスは、随意に、イントラネットに接続される。他の実施形態では、デジタル処理デバイスは、随意に、データ記憶デバイスに接続される。
【００９０】
本明細書の記載に従って、適切なデジタル処理デバイスは、限定しない例として、サーバーコンピューター、デスクトップコンピューター、ラップトップコンピューター、ノート型コンピューター、サブノート型コンピューター、ネットブックコンピューター、ネットパッドコンピューター、セットトップコンピューター、メディアストリーミングデバイス、ハンドヘルドコンピューター、インターネットアプライアンス、モバイルスマートフォン、タブレットコンピューター、パーソナルデジタルアシスタント、ビデオゲーム機、および媒体を含む。当業者は、多くのスマートフォンが、本明細書に記載されるシステムでの使用に適していることを認識するだろう。当業者はまた、随意のコンピューターネットワーク接続を有する、選択するテレビ、ビデオプレーヤー、およびデジタル音楽プレーヤーが、本明細書に記載されるシステムでの使用に適していることを認識するだろう。適切なタブレットコンピューターは、当業者に既知の、ブックレット、スレートおよび変換可能な構成を備えるものを含む。
【００９１】
幾つかの実施形態では、デジタル処理デバイスは、実行可能命令を実行するように構成されたオペレーティングシステムを含む。オペレーティングシステムは、例えば、デバイスのハードウェアを管理し、アプリケーションの実行のためのサービスを提供する、プログラムおよびデータを含む、ソフトウェアである。当業者は、適切なサーバーのオペレーティングシステムが、限定しない例として、ＦｒｅｅＢＳＤ、ＯｐｅｎＢＳＤ、ＮｅｔＢＳＤ（登録商標）、Ｌｉｎｕｘ（登録商標）、Ａｐｐｌｅ（登録商標）Ｍａｃ ＯＳ Ｘ Ｓｅｒｖｅｒ（登録商標）、Ｏｒａｃｌｅ（登録商標）Ｓｏｌａｒｉｓ（登録商標）、Ｗｉｎｄｏｗｓ（登録商標）Ｓｅｒｖｅｒ（登録商標）、およびＮｏｖｅｌｌ（登録商標）ＮｅｔＷａｒｅ（登録商標）を含むことを認識するだろう。当業者は、適切なパーソナルコンピューターのオペレーティングシステムが、限定しない例として、Ｍｉｃｒｏｓｏｆｔ（登録商標）、Ｗｉｎｄｏｗｓ（登録商標）、Ａｐｐｌｅ（登録商標）Ｍａｃ ＯＳ Ｘ（登録商標）、ＵＮＩＸ（登録商標）、およびＧＮＵ／Ｌｉｎｕｘ（登録商標）などのＵＮＩＸ（登録商標）様のオペレーティングシステムを含むことを認識するだろう。幾つかの実施形態では、オペレーティングシステムは、クラウドコンピューティングによって提供される。当業者は、適切なモバイルスマートフォンのオペレーティングシステムが、限定しない例として、Ｎｏｋｉａ（登録商標）Ｓｙｍｂｉａｎ（登録商標）ＯＳ、Ａｐｐｌｅ（登録商標）ｉＯＳ（登録商標）、Ｒｅｓｅａｒｃｈ Ｉｎ Ｍｏｔｉｏｎ（登録商標）ＢｌａｃｋＢｅｒｒｙ ＯＳ（登録商標）、Ｇｏｏｇｌｅ（登録商標）Ａｎｄｒｏｉｄ（登録商標）、Ｍｉｃｒｏｓｏｆｔ（登録商標）Ｗｉｎｄｏｗｓ（登録商標）Ｐｈｏｎｅ（登録商標）ＯＳ、Ｍｉｃｒｏｓｏｆｔ（登録商標）Ｗｉｎｄｏｗｓ（登録商標）Ｍｏｂｉｌｅ（登録商標）ＯＳ、Ｌｉｎｕｘ（登録商標）、およびＰａｌｍ（登録商標）ＷｅｂＯＳ（登録商標）を含むことも認識するだろう。当業者は、適切なメディアストリームデバイスのオペレーティングシステムが、限定しない例として、Ａｐｐｌｅ ＴＶ（登録商標）、Ｒｏｋｕ（登録商標）、Ｂｏｘｅｅ（登録商標）、Ｇｏｏｇｌｅ ＴＶ（登録商標）、Ｇｏｏｇｌｅ Ｃｈｒｏｍｅｃａｓｔ（登録商標）、Ａｍａｚｏｎ Ｆｉｒｅ（登録商標）、およびＳａｍｓｕｎｇ（登録商標）ＨｏｍｅＳｙｎｃ（登録商標）を含むことも認識するだろう。当業者は、適切なビデオゲーム機のオペレーティングシステムが、限定しない例として、Ｓｏｎｙ（登録商標）ＰＳ３（登録商標）、Ｓｏｎｙ（登録商標）ＰＳ４（登録商標）、Ｍｉｃｒｏｓｏｆｔ（登録商標）Ｘｂｏｘ ３６０（登録商標）、Ｍｉｃｒｏｓｏｆｔ Ｘｂｏｘ Ｏｎｅ、Ｎｉｎｔｅｎｄｏ（登録商標）、Ｗｉｉ（登録商標）、Ｎｉｎｔｅｎｄｏ（登録商標）Ｗｉｉ Ｕ（登録商標）、およびＯｕｙａ（登録商標）を含むことも認識するだろう。
【００９２】
幾つかの実施形態では、デバイスは、ストレージデバイス及び／又はメモリデバイスを含む。幾つかの実施形態では、ストレージデバイス及び／又はメモリデバイスは、一時的または永続的にデータまたはプログラムを保存するために使用される１つ以上の物理装置である。幾つかの実施形態では、デバイスは、揮発性メモリであり、保存した情報を維持するパワーを必要とする。幾つかの実施形態では、デバイスは、不揮発性メモリであり、デジタル処理デバイスにパワーが提供されていないときに保存した情報を保持する。さらなる実施形態では、不揮発性メモリは、フラッシュメモリを含む。幾つかの実施形態では、不揮発性メモリは、ダイナミックランダムアクセスメモリ（ＤＲＡＭ）を含む。幾つかの実施形態では、不揮発性メモリは、強誘電体ランダムアクセスメモリ（ＦＲＡＭ（登録商標））を含む。幾つかの実施形態では、不揮発性メモリは、相変化ランダムアクセスメモリ（ＰＲＡＭ）を含む。他の実施形態では、デバイスは、限定しない例として、ＣＤ−ＲＯＭ、ＤＶＤ、フラッシュメモリデバイス、磁気ディスクドライブ、磁気テープドライブ、光ディスクドライブ、およびクラウドコンピューティングベースのストレージを含む、ストレージデバイスである。さらなる実施形態では、ストレージデバイス及び／又はメモリデバイスは、本明細書に開示されるようなデバイスの組み合わせである。
【００９３】
幾つかの実施形態では、デジタル処理デバイスは、ユーザーに視覚情報を送信するためのディスプレイを含む。幾つかの実施形態では、ディスプレイは、陰極線管（ＣＲＴ）である。幾つかの実施形態では、ディスプレイは、液晶ディスプレイ（ＬＣＤ）である。さらなる実施形態では、ディスプレイは、薄膜トランジスター液晶ディスプレイ（ＴＦＴ−ＬＣＤ）である。幾つかの実施形態では、ディスプレイは、有機発光ダイオード（ＯＬＥＤ）ディスプレイである。様々なさらなる実施形態では、ＯＬＥＤディスプレイは、単純マトリックス方式ＯＬＥＤ（ＰＭＯＬＥＤ）またはアクティブマトリックス方式ＯＬＥＤ（ＡＭＯＬＥＤ）のディスプレイである。幾つかの実施形態では、ディスプレイは、プラズマディスプレイである。他の実施形態において、ディスプレイは、ビデオプロジェクターである。またさらなる実施形態では、ディスプレイは、本明細書に開示されるようなデバイスの組み合わせである。
【００９４】
幾つかの実施形態では、デジタル処理デバイスは、ユーザーから情報を受信するための入力デバイスを含む。幾つかの実施形態では、入力デバイスは、キーボードである。幾つかの実施形態では、入力デバイスは、限定しない例として、マウス、トラックボール、トラックパッド、ジョイスティック、ゲームコントローラ、またはスタイラスを含む、ポインティングデバイスである。幾つかの実施形態では、入力デバイスは、タッチスクリーンまたはマルチタッチスクリーンである。他の実施形態では、入力デバイスは、音声または他のサウンド入力を捕らえるマイクロフォンである。他の実施形態では、入力デバイスは、モーションまたは視覚入力を捕らえるビデオカメラである。さらなる実施形態では、入力デバイスは、Ｋｉｎｅｃｔ、Ｌｅａｐ Ｍｏｔｉｏｎなどである。またさらなる実施形態では、入力デバイスは、本明細書に開示されるようなデバイスの組み合わせである。
【００９５】
非一時的コンピューター可読記憶媒体
幾つかの実施形態では、本明細書に開示されるサイン、システム、ネットワーク、および方法は、随意にネットワーク化されたデジタル処理デバイスのオペレーティングシステムによって実行可能な命令を含むプログラムでエンコードされた１つ以上の非一時的コンピューター可読記憶媒体を含む。さらなる実施形態では、コンピューター可読記憶媒体は、デジタル処理デバイスの有形要素である。またさらなる実施形態では、コンピューター可読記憶媒体は、随意に、デジタル処理デバイスから取り外し可能である。幾つかの実施形態では、コンピューター可読記憶媒体は、限定しない例として、ＣＤ−ＲＯＭ、ＤＶＤ、フラッシュメモリデバイス、ソリッドステートメモリ、磁気ディスクドライブ、磁気テープドライブ、光ディスクドライブ、クラウドコンピューティングのシステムおよびサービスなどを含む。幾つかの場合では、プログラムおよび命令は、媒体上に恒久的に、ほぼ恒久的に、半恒久的に、または非一時的にエンコードされる。
【００９６】
コンピュータープログラム
幾つかの実施形態では、本明細書に開示されるサイン、システム、ネットワーク、および方法は、少なくとも１つのコンピュータープログラム、またはその使用を含む。コンピュータープログラムは、指定されたタスクを実行するように書き込まれた、デジタル処理デバイスのＣＰＵにおいて実行可能である、一連の命令を含む。コンピューター可読命令は、特定のタスクを実行する又は特定の抽象データ型を実施する、機能、対象、アプリケーションプログラミングインターフェース（ＡＰＩ）、データ構造などの、プログラムモジュールとして実施され得る。本明細書で提供される開示を考慮して、当業者は、コンピュータープログラムが、様々なバージョンの様々な言語では書き込まれ得ることを認識するだろう。
【００９７】
コンピューター可読命令の機能性は、様々な環境で所望されるように、組み合わせられ得るか又は分配され得る。幾つかの実施形態では、コンピュータープログラムは、１つの命令のシーケンス（ｓｅｑｕｅｎｃｅ）を含む。幾つかの実施形態では、コンピュータープログラムは、複数の命令のシーケンスを含む。幾つかの実施形態では、コンピュータープログラムは，１つの位置から提供される。他の実施形態では、コンピュータープログラムは，複数の位置から提供される。様々な実施形態では、コンピュータープログラムは、１つ以上のソフトウェアモジュールを含む。様々な実施形態では、コンピュータープログラムは、部分的に又は全体的に、１つ以上のウェブアプリケーション、１つ以上のモバイルアプリケーション、１つ以上の独立型アプリケーション、１つ以上のウェブブラウザのプラグイン、拡張、アドイン、またはアドオン、あるいはそれらの組み合わせを含む。
【００９８】
ウェブアプリケーション
幾つかの実施形態では、コンピュータープログラムは、ウェブアプリケーションを含む。本明細書で提供される開示を考慮して、当業者は、ウェブアプリケーションが、様々な実施形態において、１つ以上のソフトウェアフレームワークおよび１つ以上のデータベースシステムを利用することを認識するだろう。幾つかの実施形態では、ウェブアプリケーションは、レール（ロール）上のＭｉｃｒｏｓｏｆｔ（登録商標）．ＮＥＴまたはＲｕｂｙ ｏｎ Ｒａｉｌｓなどのソフトウェアフレームワーク上で作成される。幾つかの実施形態では、ウェブアプリケーションは、限定しない例として、リレーショナル、非リレーショナル、オブジェクト指向、連想、およびＸＭＬのデータベースシステムを含む、１つ以上のデータベースシステムを利用する。さらなる実施形態では、適切なリレーショナルデータベースシステムは、限定しない例として、Ｍｉｃｒｏｓｏｆｔ（登録商標）ＳＱＬ Ｓｅｒｖｅｒ、ｍｙＳＱＬ（商標）、およびＯｒａｃｌｅ（登録商標）を含む。当業者は、ウェブアプリケーションが、様々な実施形態において、１つ以上のバージョンの１つ以上の言語で書き込まれることも認識するだろう。ウェブアプリケーションは、１つ以上のマークアップ言語、プレゼンテーション定義言語、クライアント側スクリプト言語、サーバー側コーディング言語、データベース照会言語、またはそれらの組み合わせで書き込まれ得る。幾つかの実施形態では、ウェブアプリケーションは、ハイパーテキストマークアップ言語（ＨＴＭＬ）、拡張ハイパーテキストマークアップ言語（ＸＨＴＭＬ）、または拡張マークアップ言語（ＸＭＬ）などのマークアップ言語である程度まで書き込まれる。幾つかの実施形態では、ウェブアプリケーションは、カスケーディングスタイルシート（ＣＳＳ）などのプレゼンテーション定義言語である程度まで書き込まれる。幾つかの実施形態では、ウェブアプリケーションは、非同期Ｊａｖａ（登録商標）ｓｃｒｉｐｔとＸＭＬ（ＡＪＡＸ）、Ｆｌａｓｈ（登録商標）Ａｃｔｉｏｎｓｃｒｉｐｔ、Ｊａｖａ（登録商標）ｓｃｒｉｐｔ、またはＳｉｌｖｅｒｌｉｇｈｔ（登録商標）などの、クライアント側スクリプト言語である程度まで書き込まれる。幾つかの実施形態では、ウェブアプリケーションは、アクティブサーバーページ（ＡＳＰ）、ＣｏｌｄＦｕｓｉｏｎ（登録商標）、Ｐｅｒｌ、Ｊａｖａ（登録商標）、Ｊａｖａ（登録商標）Ｓｅｒｖｅｒ Ｐａｇｅｓ（ＪＳＰ）、Ｈｙｐｅｒｔｅｘｔ Ｐｒｅｐｒｏｃｅｓｓｏｒ（ＰＨＰ）、Ｐｙｔｈｏｎ（商標）、Ｒｕｂｙ、Ｔｃｌ、Ｓｍａｌｌｔａｌｋ、ＷｅｂＤＮＡ（登録商標）、またはＧｒｏｏｖｙなどの、サーバー側コーディング言語である程度まで書き込まれる。幾つかの実施形態では、ウェブアプリケーションは、構造化照会言語（ＳＱＬ）などのデータベース照会言語である程度まで書き込まれる。幾つかの実施形態では、ウェブアプリケーションは、ＩＢＭ（登録商標）Ｌｏｔｕｓ Ｄｏｍｉｎｏ（登録商標）などの、企業サーバー製品を統合する。幾つかの実施形態では、ウェブアプリケーションは、メディアプレイヤー要素を含む。様々なさらなる実施形態では、メディアプレイヤー要素は、限定しない例として、Ａｄｏｂｅ（登録商標）Ｆｌａｓｈ（登録商標）、ＨＴＭＬ ５、Ａｐｐｌｅ（登録商標）ＱｕｉｃｋＴｉｍｅ（登録商標）、Ｍｉｃｒｏｓｏｆｔ（登録商標）Ｓｉｌｖｅｒｌｉｇｈｔ（登録商標）、Ｊａｖａ（登録商標）、および統Ｕｎｉｔｙ（登録商標）を含む、多くの適切なマルチメディア技術の１つ以上を利用する。
【００９９】
モバイルアプリケーション
幾つかの実施形態では、コンピュータープログラムは、モバイルデジタル処理デバイスに提供されたモバイルアプリケーションを含む。幾つかの実施形態では、モバイルアプリケーションは、モバイルデジタル処理デバイスに、それが製造されるときに提供される。他の実施形態では、モバイルアプリケーションは、本明細書に記載されるコンピューターネットワークを介してモバイルデジタル処理デバイスに提供される。
【０１００】
本明細書で提供される開示を考慮して、モバイルアプリケーションは、ハードウェア、言語、および当該技術分野に既知の開発環境を使用して、当業者に既知の技術によって作成される。当業者は、モバイルアプリケーションが、幾つかの言語で書き込まれることを認識するだろう。適切なプログラミング言語は、限定しない例として、Ｃ、Ｃ＋＋、Ｃ＃、Ｏｂｊｅｃｔｉｖｅ−Ｃ、Ｊａｖａ（登録商標）、Ｊａｖａ（登録商標）ｓｃｒｉｐｔ、Ｐａｓｃａｌ、Ｏｂｊｅｃｔ Ｐａｓｃａｌ、Ｐｙｔｈｏｎ（商標）、Ｒｕｂｙ、ＶＢ．ＮＥＴ、ＷＭＬ、およびＣＳＳを有する又は有さないＸＨＴＭＬ／ＨＴＭＬ、またはそれらの組み合わせを含む。
【０１０１】
適切なモバイルアプリケーションの開発環境は、幾つかのソースから利用可能である。市販の開発環境は、限定しない例として、ＡｉｒｐｌａｙＳＤＫ、ａｌｃｈｅＭｏ、Ａｐｐｃｅｌｅｒａｔｏｒ（登録商標）、Ｃｅｌｓｉｕｓ、Ｂｅｄｒｏｃｋ、Ｆｌａｓｈ Ｌｉｔｅ、．ＮＥＴ Ｃｏｍｐａｃｔ Ｆｒａｍｅｗｏｒｋ、Ｒｈｏｍｏｂｉｌｅ、およびＷｏｒｋＬｉｇｈｔ Ｍｏｂｉｌｅ Ｐｌａｔｆｏｒｍを含む。他の開発環境は、限定しない例として、Ｌａｚａｒｕｓ、ＭｏｂｉＦｌｅｘ、ＭｏＳｙｎｃ、およびＰｈｏｎｅｇａｐを含んで、無償で利用可能である。また、モバイルデバイスの製造業者は、限定しない例として、ｉＰｈｏｎｅおよびｉＰａｄ（ｉＯＳ）ＳＤＫ、Ａｎｄｒｏｉｄ（商標）ＳＤＫ、ＢｌａｃｋＢｅｒｒｙ（登録商標）ＳＤＫ、ＢＲＥＷ ＳＤＫ、Ｐａｌｍ（登録商標）ＯＳ ＳＤＫ、Ｓｙｍｂｉａｎ ＳＤＫ、ｗｅｂＯＳ ＳＤＫ、およびＷｉｎｄｏｗｓ（登録商標）Ｍｏｂｉｌｅ ＳＤＫを含む、ソフトウェアディベロッパキットを分配する。
【０１０２】
当業者は、幾つかの商業フォーラムが、限定しない例として、Ａｐｐｌｅ（登録商標）Ａｐｐｌｅ Ｓｔｏｒｅ、Ａｎｄｒｏｉｄ（商標）Ｍａｒｋｅｔ、ＢｌａｃｋＢｅｒｒｙ（登録商標）Ａｐｐ Ｗｏｒｌｄ、Ｐａｌｍデバイス用のＡｐｐ Ｓｔｏｒｅ、ｗｅｂＯＳ用のＡｐｐ Ｃａｔａｌｏｇ、Ｍｏｂｉｌｅ用のＷｉｎｄｏｗｓ（登録商標）Ｍａｒｋｅｔ、Ｎｏｋｉａ（登録商標）デバイス用のＯｖｉ Ｓｔｏｒｅ、Ｓａｍｓｕｎｇ（登録商標）Ａｐｐｓ、およびＮｉｎｔｅｎｓｏ（登録商標）ＤＳｉ Ｓｈｏｐを含む、モバイルアプリケーションの分配に利用可能であることを認識するだろう。
【０１０３】
ソフトウェアモジュール
幾つかの実施形態では、本明細書に開示されるサイン、システム、ネットワーク、および方法は、ソフトウェア、サーバー、及び／又はデータベースモジュール、またはその使用を含む。本明細書で提供される開示を考慮して、ソフトウェアモジュールは、マシン、ソフトウェア、および当該技術分野に既知の言語を使用して、当業者に既知の技術によって作成される。本明細書に開示されるソフトウェアモジュールは、多くの方法で実施される。様々な実施形態では、ソフトウェアモジュールは、ファイル、コードのセクション、プログラミング対象、プログラミング構造、またはそれらの組み合わせを含む。さらに様々な実施形態では、ソフトウェアモジュールは、複数のファイル、複数のコードのセクション、複数のプログラミング対象、複数のプログラミング構造、またはそれらの組み合わせを含む。様々な実施形態では、１つ以上のソフトウェアモジュールは、限定しない例として、ウェブアプリケーション、モバイルアプリケーション、および独立型アプリケーションを含む。幾つかの実施形態では、ソフトウェアモジュールは、１つのコンピュータープログラムまたはアプリケーション内にある。他の実施形態では、ソフトウェアモジュールは、１つを超えるコンピュータープログラムまたはアプリケーション内にある。幾つかの実施形態において、ソフトウェアモジュールは、１つのマシン上でホストされる（ｈｏｓｔｅｄ）。他の実施形態において、ソフトウェアモジュールは、１つを超えるマシン上でホストされる。さらなる実施形態において、ソフトウェアモジュールは、クラウドコンピューティングプラットフォーム上でホストされる。幾つかの実施形態において、ソフトウェアモジュールは、１つの位置で１つ以上のマシン上でホストされる。他の実施形態において、ソフトウェアモジュールは、１つを超える位置で１つ以上のマシン上でホストされる。
【０１０４】
データベース
幾つかの実施形態では、本明細書に開示されるサイン、システム、ネットワーク、および方法は、１つ以上のデータベース、またはその使用を含む。本明細書で提供される開示を考慮して、当業者は、多くのデータベースが、サイン構成、ユーザー、および広告情報の保存および検索に適していることを認識するだろう。様々な実施形態では、適切なデータベースは、限定しない例として、リレーショナルデータベース、非リレーショナルデータベース、オブジェクト指向データベース、オブジェクトデータベース、エンティティ関係モデルデータベース、連想データベース、およびＸＭＬデータベースを含む。幾つかの実施形態では、デー夕ベースは、インターネットベースである。さらなる実施形態では、データベースは、ウェブベースである。またさらなる実施形態では、デー夕ベースは、クラウドコンピューティングベースである。他の実施形態では、データベースは、１つ以上のローカルコンピューター記憶デバイスに基づく。
【実施例】
【０１０５】
以下の例示的な実施例は、本明細書に記載されるソフトウェアアプリケーション、システム、および方法の実施形態の表わす例であり、いかなる方法でも限定するようには意図されていない。
【０１０６】
実施例１ − 複数日のフェスティバルでの単一のサイン
スマートなサインシステムは、複数日のフェスティバルなどの公共の集まりに持ち込まれ、組み立てられる。バックエンドサブシステムは、例えば、フードベンダー（ｆｏｏｄ ｖｅｎｄｏｒｓ）などのフェスティバルのオーガナイザーおよびその位置、ライブパフォーマンスおよびその位置および時間、出品者のディスプレイおよびその位置、輸送場所、および位置及び／又は時間に応じて入力された任意の他の関連情報によって提供されたデータを追加されるデータベースを含む。
【０１０７】
スマートサインシステムのユーザーインターフェースは、例えば、フードベンダー、ライブパフォーマンス、出品者のディスプレイ、および輸送オプションのためのユーザー選択可能なオプションを提供する、データベース中の情報を反映するように構成される。ユーザーは、スマートサインに接近し、例えば、フードベンダーに関係するボタンを押すことなどによって、所望のクエリを入力してもよい。時間（日時）に基づいて、サインアームは、様々なフードベンダーの方向を指し示すように回転し、例えば、ベンダーに対する距離、食物のタイプ、特価品、クーポンなどの、これらのベンダーに関連する情報を表示する。例えば、輸送の別のオプションを用いて、同じプロセスが繰り返され得、その時点で、サインアームは、タクシー乗り場または駅などの様々な輸送オプションの方向を指し示すように再び回転し、サイン面は、次の列車／バス／シャットルが出発する時間などの関連情報を表示するだろう。
【０１０８】
本発明の好ましい実施形態が、本明細書に示され記載されているが、このような実施形態が、ほんの一例として提供されることは当業者に明白となるであろう。多数の変更、変化、および置換が、本発明から逸脱することなく、当業者によって想到されるであろう。本明細書に記載される本発明の実施形態の様々な代替案が、本発明を実行する際に利用され得ることを理解されたい。
【図１】
2016527537.tif 000003
【図２】
2016527537.tif 000004
【図３】
2016527537.tif 000005
【図４】
2016527537.tif 000006
【図５】
2016527537.tif 000007
【図６】
2016527537.tif 000008
【図７】
2016527537.tif 000009
【図８】
2016527537.tif 000010
【図９】
2016527537.tif 000011
【図１０】
2016527537.tif 000012
【図１１】
2016527537.tif 000013
【図１２】
2016527537.tif 000014
【国際調査報告】
2016527537.tif 000015
2016527537.tif 000016